(57)【特許請求の範囲】
【請求項１】
ハウジングとその開口部を覆うアウタレンズによって画成される灯室内に、少なくとも光源とリフレクタ及びエクステンションを収容して成る車両用灯具において、
前記リフレクタ又は前記エクステンションの少なくとも一方に、組付後に外部からセンサにて種別を光学的に識別するための識別タブを設けるとともに、前記エクステンションの一部を切欠き、その切欠き部を前記センサからの光を通過させて前記識別タブに向けて照射するよう構成したことを特徴とする車両用灯具。
【請求項２】
前記識別タブは、前記リフレクタ又は前記エクステンションの少なくとも一方に突設された誤組判別用リブであることを特徴とする請求項１記載の車両用灯具。
【請求項３】
前記アウタレンズの前記センサからの光が透過する部分を平滑面としたことを特徴とする請求項１又は２記載の車両用灯具。
【発明の詳細な説明】
【技術分野】
【０００１】
本発明は、灯室内に少なくとも光源とリフレクタ及びエクステンションを収容して成る車両用灯具、特に組立後に部品の誤組を光学的に判別することができる車両用灯具に関するものである。
【背景技術】
【０００２】
ヘッドランプ等の車両用灯具は、ハウジングとその開口部を覆うアウタレンズによって画成される灯室内に、少なくとも光源とリフレクタ及びエクステンションを収容して構成されているが、リフレクタやエクステンションは仕向先によって仕様が異なり、形状や寸法が互いに若干異なっている。このため、仕様の異なる部品を誤って組み付けてしまう誤組が発生する可能性があるが、組立中は目視によって部品の違いを識別することができる。
【０００３】
ところが、車両用灯具を一旦組み立ててしまった後では、ハウジングとアウタレンズによって画成された灯室内に収容されたリフレクタやエクステンションの誤組を判別することができないという問題があった。
【０００４】
例えば、特許文献１には、リフレクタに表示マークが付された車両用灯具において、各アセンブリ毎に表示マークを重ねて付すことによって、リフレクタに付された表示マークを各アセンブリの状態において確認するようにした構成が提案されている。
【先行技術文献】
【特許文献】
【０００５】
【特許文献１】特開平１１−２６０１０５号公報
【発明の開示】
【発明が解決しようとする課題】
【０００６】
しかしながら、特許文献１において提案された構成では、各アセンブリ毎に同じ表示マークを付す必要があり、表示マークの数が多くなるとともに、表示マークを各アセンブリに付すための作業に時間を要するために作業効率が悪いという問題がある。
【０００７】
本発明は上記問題に鑑みてなされたもので、その目的とする処は、組立後に仕様の違いによる部品の誤組を判別することができる車両用灯具を提供することにある。
【課題を解決するための手段】
【０００８】
上記目的を達成するため、請求項１記載の発明は、ハウジングとその開口部を覆うアウタレンズによって画成される灯室内に、少なくとも光源とリフレクタ及びエクステンションを収容して成る車両用灯具において、前記リフレクタ又は前記エクステンションの少なくとも一方に、組付後に外部からセンサにて種別を光学的に識別するための識別タブを設けるとともに、前記エクステンションの一部を切欠き、その切欠き部を前記センサからの光を通過させて前記識別タブに向けて照射するよう構成したことを特徴とする。
【００１０】
請求項２記載の発明は、請求項１記載の発明において、前記識別タブは、前記リフレクタ又は前記エクステンションの少なくとも一方に突設された誤組判別用リブであることを特徴とする。
【００１１】
請求項３記載の発明は、請求項１又は２記載の発明において、前記アウタレンズの前記センサからの光が透過する部分を平滑面としたことを特徴とする。
【発明の効果】
【００１２】
請求項１記載の発明によれば、リフレクタ又はエクステンションの少なくとも一方に設けられた識別タブを組立後にセンサによって外部から光学的に識別することができるため、仕向先によって仕様が異なるリフレクタやエクステンションの誤組を組立後に判別することができ、誤組されたままの製品がそのまま出荷されるという不具合の発生を防ぐことができる。
【００１３】
又、センサ殻の光はエクステンションの切欠き部を通過してリフレクタ又はエクステンションの識別タブに照射されるため、組立後であっても、リフレクタ又はエクステンションに設けられた識別タブを光学的に識別することによってリフレクタやエクステンションの誤組を判別することができる。
【００１４】
請求項２記載の発明によれば、リフレクタ又はエクステンションの少なくとも一方に突設された誤組判別用リブをセンサによって光学的に検出することによって、組み付けられてリフレクタやエクステンションの種別を識別してその誤組を判別することができる。
【００１５】
請求項３記載の発明によれば、センサからの光がアウタレンズの平滑面を拡散することなく透過してストレートに識別タブに到達し、識別タブで反射した光がアウタレンズの平滑面を再び透過してセンサに到達するため、識別タブが光学的に読み取られてリフレクタやエクステンションの種別が正確に読み取られる。
【図面の簡単な説明】
【００１６】
【図１】本発明に係る車両用灯具であるヘッドランプの正面図である。
【図２】図１のＡ−Ａ線断面図である。
【図３】仕様が異なるヘッドランプの側断面図である。
【図４】本発明の別形態を示すヘッドランプの側断面図である。
【発明を実施するための形態】
【００１７】
以下に本発明の実施の形態を添付図面に基づいて説明する。
【００１８】
図１は本発明に係る車両用灯具であるヘッドランプの正面図、図２は図１のＡ−Ａ線断面図、図３は仕様が異なるヘッドランプの側断面図である。
【００１９】
図１及び図２に示すヘッドランプ１は、車両前方（図２の左方）に向かって開口するハウジング２と該ハウジング２の開口部を前方から覆うアウタレンズ３とで画成される灯室４内に、光源である不図示のバルブと、該バルブの周囲を覆うリフレクタ５と、意匠上の観点からリフレクタ５とアウタレンズ３との間に介装されるエクステンション６を収容して構成されている。
【００２０】
ところで、斯かるヘッドランプ１においては、その仕向け先によってリフレクタ５とエクステンション６の仕様が異なっており、それらの形状及び寸法等が仕向け先毎に異なっている。例えば、図３に仕向け先の異なる別仕様のヘッドランプ１’の側断面を示すが、このヘッドランプ１’に組み込まれたリフレクタ５’とエクステンション６’は図１及び図２に示すヘッドランプ１のリフレクタ５とエクステンション６とは形状及び寸法等が異なっている。
【００２１】
ここで、図１及び図２に示すヘッドランプ１のリフレクタ５とエクステンション６同士は正常に組み付けられ、図３に示す別仕様のヘッドランプ１’においてもリフレクタ５’とエクステンション６’同士は正常に組み付けられるが、図１及び図２に示すヘッドランプ１のリフレクタ５に図３に示すヘッドランプ１’のエクステンション６’を組み付けることはできず、同様に図１及び図２に示すヘッドランプ１’のエクステンション６’に図３に示すヘッドランプ１のリフレクタ５を組み付けることができないよう構成されている。
【００２２】
従って、ヘッドランプ１，１’の組み立てにおいては、リフレクタ５とエクステンション６及びリフレクタ５’とエクステンション６’とは一対となって組み付けられ、これらが入れ違いに組み付けられることはない。
【００２３】
ところが、本来は図１及び図２に示すヘッドランプ１に組み付けられるべきリフレクタ５とエクステンション６の組が誤って図３に示すヘッドランプ１’に組み付けられたり、逆に本来は図３に示すヘッドランプ１’に組み付けられるべきリフレクタ５’とエクステンション６’の組が図１及び図２に示すヘッドランプ１に誤って組み付けられる誤組が発生する可能性がある。そして、このような誤組は、ヘッドランプ１，１’が一旦組み立てられた後では判別することができない。
【００２４】
そこで、本発明では、リフレクタ又はエクステンションの少なくとも一方に、組付後に外部からセンサにて種別を光学的に識別するための識別タブを設けたことを特徴とする。
【００２５】
而して、本実施の形態では、図１及び図２に示すヘッドランプ１のリフレクタ５の前端下部に識別タブとしての誤組判別用リブ７を垂直に一体に形成し（図２参照）、この誤組判別用リブ７の有無をヘッドランプ１，１’を組み立てた後にセンサ８によって光学的に検知するようにしている。
【００２６】
そして、本実施の形態では、図２に示すように、図１及び図２に示すヘッドランプ１のエクステンション６の一部（リフレクタ５の誤組識別用リブ７と正面視において重なる部分であって、センサ８からの光Ｌが通過する部分）が切り欠かれており、アウタレンズ３の下部のセンサ８からの光Ｌが透過する領域Ｒ１は平滑面とされ、その上部の領域Ｒ２にはレンズカットが施されている。
【００２７】
他方、図３に示す別仕様のヘッドランプ１’においては、リフレクタ５’には図１及び図２に示すヘッドランプ１のリフレクタ５に形成された誤組判別用リブ７（図２参照）が形成されていない。又、エクステンション６’は切り欠かれていない。
【００２８】
而して、本実施の形態においては、図１及び図２に示すヘッドランプ１と図３に示す別仕様のヘッドランプ１’が組み立てられた後に、図２及び図３に示すように、外部に設けられたセンサ８から各ヘッドランプ１，１’の下部に光Ｌを照射すると、図１及び図２に示すヘッドランプ１においては、光Ｌがアウタレンズ３の平滑な領域Ｒ１及びエクステンション６の切欠き部６ａを通過してリフレクタ５の誤組判別用リブ７に達し、該誤組判別用リブ７で反射した光Ｌがエクステンション６の切欠き部６ａとアウタレンズ３の領域Ｒ１を通過してセンサ８に戻るため、誤組判別リブ７がセンサ８によって光学的に検知される。このため、ヘッドランプ１には正規のリフレクタ５とエクステンション６が組み付けられており、誤組の発生がないものと判別される。
【００２９】
他方、図３に示す別仕様のヘッドランプ１’においては、センサ８からの光Ｌはエクステンション６’によって遮られる（図１及び図２に示すヘッドランプ１のリフレクタ５に形成された誤組判別用リブ７を検知しない）ため、ヘッドランプ１’には正規のリフレクタ５’とエクステンション６’が組み付けられており、誤組の発生がないものと判別される。
【００３０】
然るに、図１及び図２に示すヘッドランプ１に図３に示すヘッドランプ１’に組み付けられるべきリフレクタ５’がエクステンション６’に誤組された場合には、センサ８は本来組み付けられるべきリフレクタ５に形成された誤組判別用リブ７を検知しないため、ヘッドランプ１に誤組が発生したものと判断することができる。
【００３１】
同様に、図３に示すヘッドランプ１’に図１及び図２に示すヘッドランプ１に組み付けられるべきリフレクタ５とエクステンション６が誤組された場合には、センサ８は本来組み付けられるべきでないリフレクタ５に形成された誤組判別用リブ７を検知するため、ヘッドランプ１’に誤組が発生したものと判断することができる。
【００３２】
以上のように、本実施の形態では、リフレクタ５に形成された誤組判別用リブ７の有無をヘッドランプ１，１’が組み立てられた後にセンサ８によって外部から光学的に検知するようにしたため、仕向先によって仕様が異なるリフレクタ５，５’やエクステンション６，６’の誤組を組立後に判別することができ、誤組されたままの製品がそのまま出荷されるという不具合の発生が確実に防がれる。
【００３３】
又、本実施の形態では、アウタレンズ３のセンサ８からの光Ｌが透過する領域Ｒ１を平滑面としたため、センサ８からの光Ｌがアウタレンズ８の領域Ｒ１を拡散することなく透過してストレートに進行し、リフレクタ５に形成された誤組判別用リブ７の有無がセンサ８によって光学的に正確に検知される。
【００３４】
更に、ヘッドランプ１，１’のセンサ８によって誤組を判別する箇所は、当該ヘッドランプ１，１’が車体に組み付けられた状態では車体パネルによって覆われて外部に露出しないため、誤組の検知によってヘッドランプ１，１’の外観性が低下することがない。
【００３５】
尚、以上の実施の形態では、図１及び図２に示すヘッドランプ１のリフレクタ５に誤組判別用リブ７を形成したが、図４に示すように、エクステンション６側に誤組識別用リブ７’を形成しても前記と同様の効果が得られる。又、以上の実施の形態では、識別タブとして誤組判別用リブ７を用いたが、識別タブとしては表示マーク等の光学的に読み取り可能なものであれば他の任意のものを使用することができる。
【００３６】
更に、以上は本発明を特にヘッドランプに対して適用した形態について説明したが、本発明は、仕向け先によって仕様が異なるヘッドランプ以外の他の任意の車両用灯具に対しても同様に適用可能であることは勿論である。
【符号の説明】
【００３７】
１，１’    ヘッドランプ（車両用灯具）
２          ハウジング
３          アウタレンズ
４          灯室
５，５’    リフレクタ
６，６’    エクステンション
６ａ        エクステンションの切欠き部
７，７’    誤組判別用リブ（識別タブ）
８          センサ
Ｌ          光
Ｒ１        アウタレンズの光が透過する領域
Ｒ２        アウタレンズのレンズカットが施された領域
【図１】
0005489668.tif 000002
【図２】
0005489668.tif 000003
【図３】
0005489668.tif 000004
【図４】
0005489668.tif 000005